(57)【要約】  表示モジュール(３)と、枠状収納部材(２)と、仮保持部材(６)と、固定用部材(４)とを備え、仮保持部材(６)が、枠状収納部材(２)の対向する側壁部(２ａ−１，２ａ−２)のうち、側壁部(２ａ−２)に係合位置決めされ、側壁部(２ａ−１)に係合固定されて枠状収納部材(２)に組み付けられ、固定用部材(４)が、側壁部(２ａ−１)に係合位置決めされ、側壁部(２ａ−２)に係合固定されて枠状収納部材(２)に組み付けられる。
2015033472.tif 000002
【特許請求の範囲】
【請求項１】
収納対象物と、  少なくとも一面が開口し、前記開口の側壁で囲まれた空間に前記収納対象物を収納する収納部と、  前記収納対象物を覆うように前記収納部に組み付けられる第１の部材と、  前記第１の部材を覆うように前記収納部に組み付けられる第２の部材とを備え、  前記第１の部材は、前記収納部の対向する第１および第２の側壁部のうち、前記第２の側壁部に係合位置決めされ、前記第１の側壁部に係合固定されて前記収納部に組み付けられ、  前記第２の部材は、前記第１の側壁部に係合位置決めされ、前記第２の側壁部に係合固定されて前記収納部に組み付けられることを特徴とする電子機器。
【請求項２】
前記第１の部材は、前記収納対象物を付勢する付勢部材を備えることを特徴とする請求項１記載の電子機器。
【請求項３】
前記第２の部材は、前記第１の部材が前記収納部に係合固定された側の前記第１の部材および前記収納部の一部に圧接することを特徴とする請求項１記載の電子機器。
【請求項４】
前記第２の部材は、前記収納部の一方向から組み付けることにより、前記第１の側壁部に係合位置決めされ、前記第２の側壁部に係合固定されることを特徴とする請求項１記載の電子機器。
【請求項５】
前記第２の部材は、前記第１の側壁部に係合位置決めした部分を支点として、係合固定する側を前記収納部に向けて回転させて組み付けることを特徴とする請求項１記載の電子機器。
【発明の詳細な説明】
【技術分野】
【０００１】  この発明は、表示モジュールなどの収納対象物を筐体内に保持する構造を有した電子機器に関する。
【背景技術】
【０００２】  例えば、特許文献１には、一面が開口した箱状のベースにバックライトユニットを収納して固定する構造が開示されている。この構造では、ベース側に形成した係合穴とバックライトユニット側に形成した係合突部を係合させて固定している。  特許文献２に開示される電子機器は、フロントカバーの裏面に設けた載置凹部に液晶表示ユニットを載置し、この状態で液晶表示ユニットの背面に液晶固定板を当接させて固定している。この電子機器においても、載置凹部の液晶表示ユニットを囲む周壁部に設けた係合穴と係合突部に対して液晶固定板に設けた係合突部と係合穴を係合固定している。【０００３】  また、特許文献３には、表示パネル支持枠に表示パネルを収納し、その表面側から表示パネル押さえ板によって表示パネルを表示パネル支持枠内に固定する表示パネル取り付け構造が開示されている。この構造では、表示パネル支持枠に係合突部（係合突部）が形成されており、表示パネル押さえ板に係合穴が開口され、一側面の係合穴に押圧片が形成されている。表示パネル支持枠に表示パネルを載置し、表示パネル押さえ板を被せると、係合穴に表示パネル支持枠の係合突部が係合する。このとき、押圧片の弾発力により、表示パネル押さえ板が片側に引き寄せられるため、ガタがなくなり係合突部と係合穴の離脱が防止される。
【先行技術文献】
【特許文献】
【０００４】
【特許文献１】実開平７−１４４３１号公報
【特許文献２】特開２００６−３９３６１号公報
【特許文献３】実開平５−２７７２２号公報
【発明の概要】
【発明が解決しようとする課題】
【０００５】  特許文献１，２に代表される従来の技術では、表示パネルユニットなどの収納対象物を収納する筐体部材と、筐体部材に収納された状態で収納対象物を固定する固定用部材との双方に係合突部と係合穴を設け、これらを係合させて筐体部材と固定用部材とを固定している。この構造は、例えば、係合突部を係合穴の開口縁部に引っ掛けるような簡単な操作で固定できるが、振動などの外力が印加されると、係合突部と係合穴の係合が外れやすいという短所がある。特に、収納対象物の質量が大きくなるにつれて顕著に外れやすくなるため、係合突部と係合穴による係合固定だけでは信頼性が低い。【０００６】  また、特許文献３のように、係合突部と係合穴による係合固定を押圧片で補助することも考えられるが、強固に固定されてしまうため一度組み立てを行うと分解が困難である。  電子機器の製造ラインにおいて、組み立てた製品の内部検査や各種修正は必須であり、このとき製品を再び分解する必要がある。この場合に、押圧片によって強固に固定されていると、分解作業ができないか、作業が長時間化する可能性がある。【０００７】  この発明は、上記のような課題を解決するためになされたもので、組み立ておよび分解が容易でかつ収納対象物を強固に保持することができる電子機器を得ることを目的とする。
【課題を解決するための手段】
【０００８】  この発明に係る電子機器は、収納対象物と、少なくとも一面が開口し、開口の側壁で囲まれた空間に収納対象物を収納する収納部と、収納対象物を覆うように収納部に組み付けられる第１の部材と、第１の部材を覆うように収納部に組み付けられる第２の部材とを備え、第１の部材は、収納部の対向する第１および第２の側壁部のうち、第２の側壁部に係合位置決めされ、第１の側壁部に係合固定されて収納部に組み付けられ、第２の部材は、第１の側壁部に係合位置決めされ、第２の側壁部に係合固定されて収納部に組み付けられることを特徴とする。
【発明の効果】
【０００９】  この発明によれば、組み立ておよび分解が容易でかつ収納対象物を強固に保持することができるという効果がある。
【図面の簡単な説明】
【００１０】
【図１】この発明の実施の形態１に係る電子機器を示す図である。
【図２】実施の形態１に係る電子機器の分解斜視図である。
【図３】実施の形態１における仮保持部材の組み付け手順を示す図である。
【図４】実施の形態１に係る仮保持部材に形成された付勢部材を示す断面斜視図である。
【図５】表示モジュールを収納した枠状収納部材に仮保持部材を係合固定した構造体を示す図である。
【図６】図５の仮保持部材に基板を載置した構造体を示す斜視図である。
【図７】実施の形態１における固定用部材の組み付け手順を示す図である。
【図８】固定用部材を組み付けた電子機器を示す斜視図である。
【図９】図８（ａ）のＡ−Ａ線で切った断面図である。
【図１０】実施の形態１における固定用部材の係合位置決め部および係合固定部の構造を示す図である。
【図１１】この発明の実施の形態２に係る電子機器を示す斜視図である。
【図１２】実施の形態２における固定用部材の組み付け態様を示す図である。
【図１３】実施の形態２における固定用部材の係合固定部を示す断面図である。
【図１４】この発明の実施の形態３に係る電子機器を示す図である。
【図１５】実施の形態３に係る電子機器の分解斜視図である。
【図１６】実施の形態３における仮保持部材の組み付け手順を示す図である。
【図１７】実施の形態３における仮保持部材と枠状収納部材との係合構造を示す図である。
【図１８】実施の形態３における仮保持部材と枠状収納部材との係合構造を示す図である。
【図１９】実施の形態３に係る仮保持部材に形成された付勢部材を示す斜視図である。
【図２０】実施の形態３における仮保持部材に基板を載置した状態を示す斜視図である。
【図２１】実施の形態３における固定用部材を示す図である。
【図２２】実施の形態３における枠状収納部材の係合部を示す図である。
【図２３】実施の形態３における固定用部材の係合位置決め部を示す断面拡大図である。
【図２４】実施の形態３における固定用部材を枠状収納部材に係合位置決めした状態の断面側方図である。
【図２５】図２４の領域Ｆの断面拡大図である。
【図２６】実施の形態３における固定用部材の組み付け手順を示す図である。
【図２７】実施の形態３に係る電子機器を示す斜視図である。
【図２８】図２７の領域Ｉの断面拡大図である。
【図２９】実施の形態３に係る電子機器の断面側方図である。
【図３０】図２９の領域Ｇの断面拡大図である。
【発明を実施するための形態】
【００１１】  以下、この発明をより詳細に説明するため、この発明を実施するための形態について、添付の図面に従って説明する。実施の形態１．  図１は、この発明の実施の形態１に係る電子機器を示す図であり、図１（ａ）は正面側斜視図であり、図１（ｂ）は背面側斜視図である。この発明に係る電子機器１は、例えばナビゲーション装置などの車載機器あるいはディスプレイ付きのオーディオ機器である。図１（ａ）に示す電子機器１では、枠状収納部材２、表示モジュール３および固定用部材４を備え、枠状収納部材２の表面側の開口部から表示モジュール３の表示面が外部に露出している。固定用部材４は、図１（ｂ）に示すように、枠状収納部材２の背面側および側壁２ａの一部を覆う部材である。また、電子機器１の内部回路は、固定用部材４の背面側から露出するコネクタ５を介して外部回路と接続される。
【００１２】  図２は、実施の形態１に係る電子機器の分解斜視図であり、図２（ａ）は電子基板７を内蔵する構成の電子機器１、図２（ｂ）は電子基板７を内蔵しない構成の電子機器１Ａを示している。図２（ａ）に示すように、電子機器１は、枠状収納部材２、表示モジュール３、仮保持部材６、電子基板７、固定用部材４の順に組み付けられる。
【００１３】  電子機器１では、電子基板７に実装されたコネクタ５が固定用部材４の開口部４ａから外部に露出する。また、電子機器１Ａは、図２（ｂ）に示すように、枠状収納部材２、表示モジュール３、仮保持部材６、固定用部材４Ａの順に組み付けられる。電子機器１，１Ａは、電子基板７を有するか否かの違いはあるが、この発明の特徴的な構成は共通する。そこで、以降では電子機器１について主に説明する。
【００１４】  枠状収納部材２は、表面側と背面側に開口を有し、背面側の開口から表示モジュール３を収納する収納部である。また、枠状収納部材２の表面側の開口周縁には、表示モジュール３の周縁部を載置するために開口の内方向に張り出した設置代が形成されている。枠状収納部材２の背面側には、背面側開口の側壁２ａが立設されており、この側壁２ａが形成する空間内に表示モジュール３が収納される。
【００１５】  なお、枠状収納部材２が、表面側に表示モジュール３の表示面を外部に露出するための開口と背面側に表示モジュール３を収納するための開口とを有する場合を示したが、この発明は、これに限定されるものではない。例えば、収納対象物を収納するために少なくとも一面が開口し、この開口の側壁で囲まれた空間内に収納対象物を収納できる構造の部材であればよい。
【００１６】  表示モジュール３は、図２（ａ）に示すように、枠状収納部材２に収納される収納対象物である。また、表示モジュール３は、例えば、液晶パネル、プラズマパネル、有機ＥＬ（エレクトロルミネセンス）などから構成される。電子機器１が液晶表示装置の場合、表示モジュール３は、液晶表示パネル、液晶表示ドライバ回路、バックライトなどの液晶表示に必要な構成がモジュール化されたものとなる。
【００１７】  仮保持部材６は、図２（ａ）に示すように、表示モジュール３を覆うように枠状収納部材２に組み付けられる第１の部材である。電子基板７は、コネクタ５を搭載するプリント基板である。また、固定用部材４は、仮保持部材６を覆うように枠状収納部材２に組み付けられる第２の部材である。
【００１８】  図３は、実施の形態１における仮保持部材の組み付け手順を示す図であり、図３（ａ）から図３（ｄ）の順で組み付ける。図３では、枠状収納部材２に表示モジュール３が収納されているものとする。ここで、仮保持部材６には、図３（ａ）に示すように、本体部分である板状部６ａの一方の端辺に係合固定部６ｂが形成され、これに対向する端辺に位置決め用突部６ｃが形成されている。また、図３（ｂ）に示すように、枠状収納部材２の側壁部２ａ−２には、位置決め用の係合穴２ｃが形成されている。
【００１９】  仮保持部材６を枠状収納部材２に組み付ける場合、枠状収納部材２の側壁部２ａ−２に位置決め用突部６ｃを向けて仮保持部材６を挿入する（ａ方向に挿入）。  次に、図３（ｃ）に示すように、仮保持部材６が枠状収納部材２に対して傾斜した状態で、枠状収納部材２の内側から位置決め用突部６ｃを係合穴２ｃに係合させる。  すなわち、位置決め用突部６ｃの先端部を、枠状収納部材２の内側から挿入して係合穴２ｃの内壁に当接させる。これにより、仮保持部材６は側壁部２ａ−２に対して係合位置決めされる。
【００２０】  また、仮保持部材６の係合固定部６ｂは、図３（ｂ）に示すように、片部６ｂ−１および片部６ｂ−１の端部に形成された係合穴６ｂ−２から構成される。  なお、片部６ｂ−１は、基部と先端部の間隔が側壁部２ａ−１の厚さ程度となるようにＵ字状に湾曲させた片部である。  さらに、仮保持部材６の板状部６ａにはその一部を下方に折り曲げてなる付勢部材６ｄが形成されている。  枠状収納部材２の側壁部２ａ−１の外周部には、仮保持部材６を係合固定するための係合突部２ｂが形成されている。
【００２１】  図３（ｃ）の状態から、位置決め用突部６ｃと係合穴２ｃの係合部を支点として、仮保持部材６の係合固定部６ｂ側を枠状収納部材２の側壁部２ａ−１に向けて倒していくと、位置決め用突部６ｃが係合穴２ｃに徐々に挿入されていく。このとき、片部６ｂ−１の湾曲部分に側壁部２ａ−１が徐々に挿入されていき、最終的に係合穴６ｂ−２に係合突部２ｂが嵌合係合する。これにより、図３（ｄ）に示すように、仮保持部材６が、側壁部２ａ−１に係合固定される。
【００２２】  また、仮保持部材６の付勢部材６ｄは、板状部６ａの一部を下方に折り曲げた爪状の部材であり、図４に示すようにその先端部は湾曲している。仮保持部材６を枠状収納部材２に組み付けた状態で、付勢部材６ｄは、この湾曲の変曲点に相当する部分で表示モジュール３の背面に当接して表示モジュール３を表面側に付勢する。これにより、表示モジュール３の周縁部が設置代２ａ−３に押し付けられ、表示モジュール３を枠状収納部材２内にガタなく収納することができる。
【００２３】  図５は、表示モジュールを収納した枠状収納部材に仮保持部材を係合固定した構造体を示す図であり、図５（ａ）は係合固定部および係合位置決め部を含む断面図、図５（ｂ）は係合位置決め部の断面斜視図、図５（ｃ）は係合固定部の断面斜視図である。  表示モジュール３を収納した枠状収納部材２に仮保持部材６を係合固定した構造体は、図５（ａ）に示すように、仮保持部材６の付勢部材６ｄにより、表示モジュール３が枠状収納部材２の設置代２ａ−３に付勢されている。このとき、位置決め用突部６ｃは、付勢部材６ｄの付勢に対する表示モジュール３からの反力を受けて、図５（ｂ）に示すように係合穴２ｃの上面をａ１方向に押した状態となる。
【００２４】  このように位置決め用突部６ｃが係合穴２ｃの上面を付勢しているので、仮保持部材６の板状部６ａをその面方向にスライドさせても位置決め用突部６ｃが係合穴２ｃから外れにくい係合部を実現することができる。  位置決め用突部６ｃが係合穴２ｃをａ１方向に押しているので、図５（ｂ）に示すようにａ１方向とは逆の側に隙間ができても問題ない。
【００２５】  なお、位置決め用突部６ｃおよび係合穴２ｃによる係合位置決めは一例であり、仮保持部材６を枠状収納部材２の側壁部２ａ−２で係合位置決めすることができる構造であれば、他の構成であってもよい。  また、係合固定部６ｂおよび係合突部２ｂによる係合固定は一例であり、仮保持部材６を枠状収納部材２の側壁部２ａ−１に係合固定することができる構造であれば、他の構成であってもよい。例えば、側壁部２ａ−１側に係合穴があり、片部６ｂ−１側に係合突部がある構造でもよい。
【００２６】  同様に、係合固定部６ｂの係合穴６ｂ−２の内壁面部が、付勢部材６ｄの付勢に対する表示モジュール３からの反力を受けて、図５（ｃ）に示すように係合突部２ｂの下面をａ２方向に押した状態となる。ただし、係合穴６ｂ−２の内壁面部は、係合突部２ｂの下面のみに接触しているので、片部６ｂ−１の先端部をａ３方向に撓ませるだけで、係合固定部６ｂを係合突部２ｂから簡単に外すことができる。なお、係合突部２ｂの幅は、係合穴６ｂ−２の開口幅とほぼ同等な大きさであるので、片部６ｂ−１に幅方向の力を加えても係合固定部６ｂが係合突部２ｂから外れにくい。
【００２７】  電子基板７は、図６に示すように、枠状収納部材２に組み付けた仮保持部材６の上面に載置される。例えば、電子基板７は、枠状収納部材２の板状部６ａにねじ止めされる。  なお、電子基板７の固定は、ねじ止めに限らず、これ以外の様々な締結方法を適用してもよい。
【００２８】  図７は、実施の形態１における固定用部材の組み付け手順を示す図であり、図７（ａ）から図７（ｄ）の順で組み付ける。図７では、仮保持部材６が枠状収納部材２に組み付けられているものとする（図６の構造体）。ここで、固定用部材４には、図７（ａ）に示すように、天面部の一方の端辺に位置決め用片部４ｂが形成されている。この位置決め用片部４ｂは、天面部の上記端辺から下方に延出された片部の先端部を内側に鍵状に折り曲げた構造を有する。また、枠状収納部材２の側壁部２ａ−１には、位置決め用の係合穴２ｄが形成されている。
【００２９】  固定用部材４を枠状収納部材２に組み付ける場合、図７（ａ）に示すように、位置決め用片部４ｂを係合穴２ｄに位置合わせする（矢印方向）。  次に、図７（ｂ）に示すように、固定用部材４が枠状収納部材２に対して傾斜した状態で、枠状収納部材２の外側から位置決め用片部４ｂを係合穴２ｄに係合させる。  すなわち、位置決め用片部４ｂの先端部を、枠状収納部材２の外側から挿入して係合穴２ｄの内壁に当接させる。これにより、固定用部材４は側壁部２ａ−１に係合位置決めされる。  なお、位置決め用片部４ｂおよび係合穴２ｄによる係合位置決めは一例であり、固定用部材４を枠状収納部材２の側壁部２ａ−１で係合位置決めすることができる構造であれば、他の構成であってもよい。
【００３０】  また、固定用部材４の天面部において、位置決め用片部４ｂを形成した端辺に対向する端辺には、図７（ｃ）に示すように係合固定部４ｃが形成される。係合固定部４ｃは、図７（ｃ）に示すように、天面部の上記端辺から下方に延出された片部であり、片部の中央付近に係合穴４ｃ−１が形成されている。また、枠状収納部材２の側壁部２ａ−２の外周部には、固定用部材４を係合固定するための係合突部２ｅが形成されている。
【００３１】  図７（ｃ）の状態から、位置決め用片部４ｂと係合穴２ｄの係合部を支点として、固定用部材４の係合固定部４ｃ側を枠状収納部材２の側壁部２ａ−２に向けて倒していくと、位置決め用片部４ｂの先端部が係合穴２ｄに徐々に挿入されていく。このとき、係合固定部４ｃが側壁部２ａ−２の外側面に接触して下方に摺動していき、最終的に係合穴４ｃ−１に係合突部２ｅが嵌合係合する。これにより、図７（ｄ）に示すように、固定用部材４が側壁部２ａ−２に係合固定される。
【００３２】  図８は、固定用部材を組み付けた電子機器を示す斜視図であって、図８（ａ）は側壁部２ａ−１側から見た斜視図、図８（ｂ）は側壁部２ａ−２から見た斜視図である。また、図９は図８（ａ）のＡ−Ａ線で切った断面斜視図である。さらに、図１０は、実施の形態１における固定用部材の係合位置決め部および係合固定部の構造を示す図であり、図１０（ａ）は係合位置決め部の断面斜視図、図１０（ｂ）は係合固定部の断面側方図である。  枠状収納部材２に組み付けることで、固定用部材４は、図８（ａ）に示すように、枠状収納部材２の側壁部２ａ−１で係合位置決めされ、図８（ｂ）に示すように、側壁部２ａ−１に対向する側壁部２ａ−２で係合固定される。
【００３３】  図１０（ａ）は、図９における係合固定部の断面拡大図である。この発明において、図１０に示す係合固定部４ｃおよび係合突部２ｅによる係合固定は一例であり、固定用部材４を枠状収納部材２の側壁部２ａ−２に係合固定することができる構造であれば、他の構成であってもよい。例えば、側壁部２ａ−２側に係合穴があり、係合固定部４ｃ側に係合突部がある構造でもよい。
【００３４】  また、図１０（ｂ）は図９における係合位置決め部の断面拡大図である。図１０（ｂ）に示すように、Ｄ１部分では、固定用部材４の天面部が、仮保持部材６の片部６ｂ−１を矢印方向に押して圧接した状態となっている。Ｄ２部分においては、枠状収納部材２の係合穴２ｄが、固定用部材４の位置決め用片部４ｂを矢印方向に押して圧接している。  すなわち、固定用部材４が圧接して仮保持部材６は直接的に組み付け方向に押さえ付けられており、固定用部材４が枠状収納部材２に圧接して組み付け方向に押さえ付けられている。これにより、仮保持部材６と枠状収納部材２の係合固定部に外力が加わっても、固定用部材４の圧接により係合固定がアシストされるため、外力による外れを防止することができる。また、部材４，６が互いに接触した状態で固定されるため、部材同士が衝突して異音が発生することを防止できる。
【００３５】  この発明では、表示モジュール３を収納する枠状収納部材２に組み付ける仮保持部材６と、この仮保持部材６とは互い違いな位置で係合位置決めと係合固定を行う固定用部材４とを備える。ここで、固定用部材４および仮保持部材６はともに係合突部を係合穴に嵌合する簡単な作業で係合位置決めおよび係合固定が可能であるため、電子機器１を容易に組み立ておよび分解することが可能である。また、仮保持部材６と固定用部材４により表示モジュール３を二重に保持するため、表示モジュール３を強固に保持することができる。
【００３６】  電子機器１を分解する場合は、まず、枠状収納部材２の側壁部２ａ−２における固定用部材４の係合固定を解除する。すなわち、係合固定部４ｃの係合穴４ｃ−１を側壁部２ａ−２の係合突部２ｅから外し、位置決め用片部４ｂと係合穴２ｄの係合部を支点として、固定用部材４の係合固定部４ｃ側を持ち上げ、この後に位置決め用片部４ｂを係合穴２ｄから引き抜いて、固定用部材４を枠状収納部材２から取り外す。  なお、これ以外の方法で固定用部材４を外す場合は、位置決め用片部４ｂをせん断破壊することが考えられるが、係合突部２ｅから係合固定部６ｂを外す操作より困難である。
【００３７】  次に、枠状収納部材２の側壁部２ａ−１における仮保持部材６の係合固定を解除する。  すなわち、片部６ｂ−１の係合穴６ｂ−２を側壁部２ａ−１の係合突部２ｂから外し、位置決め用突部６ｃと係合穴２ｃの係合部を支点として、仮保持部材６の係合固定部側を持ち上げ、この後に位置決め用突部６ｃを係合穴２ｃから引き抜いて、仮保持部材６を枠状収納部材２から取り外す。  このように、固定用部材４と仮保持部材６を枠状収納部材２からそれぞれ取り外すためには、側壁部２ａ−１，２ａ−２側で上記作業を交互に行う必要があり、固定用部材４と仮保持部材６は自然に加わる外力（振動など）で外れにくい構造となっている。
【００３８】  また、実際の使用環境においては、電子機器１は表示面側のみを露出させてその背面側の構成が取り付け箇所に収納されている。この場合、通常、利用者が触れることができる箇所は、枠状収納部材２の表面側と表示モジュール３の表示面である。  特に、表示モジュール３の表示面上にタッチパネルが搭載されている場合は、利用者が表示モジュール３の表示面を強く押下する場合もある。
【００３９】  利用者が表示面を押下した力は、付勢部材６ｄを介して図１０（ｂ）のＤ１，Ｄ２部分（係合位置決め部）に伝達される。  一方、固定用部材４の係合固定部側は仮保持部材６と接触していないので、この外力が直接伝わらない。従って、固定用部材４の係合位置決め部の構造を破壊しない限り、固定用部材４の係合固定部を外すことは困難である。  また、表示モジュール３の重量が重くても、付勢部材６ｄを介して固定用部材４の係合位置決め部に重みが加わり、係合固定部には加わらないので、表示モジュール３の重量の影響を受けにくい組み付けが可能である。
【００４０】  例えば、電子機器１に振動が加わった場合、重量物である表示モジュール３が共振し、付勢部材６ｄを介して仮保持部材６が枠状収納部材２に係合固定された箇所に振動が伝わっても、固定用部材４が、図１０（ｂ）のＤ１，Ｄ２部分で仮保持部材６および枠状収納部材２に圧接しており、仮保持部材６が枠状収納部材２から外れることを防止することができる。また、固定用部材４は、表示モジュール３に比べて軽量であるため、振動により係合固定部４ｃと係合突部２ｅの係合が外れにくい。
【００４１】  このように、この発明は、収納対象の電装ユニットが重量物であっても信頼性の高い収納が可能である。  また、電子機器１を生産ラインで分解する場合、作業者は、係合突部を係合穴から外す簡単な操作で固定用部材４の係合固定と仮保持部材６の係合固定を解除することができ、特殊な工具は不要である。
【００４２】  なお、上記説明では、電子基板７を組み込む構造を例示したが、電子基板７を省略した電子機器１Ａであっても同様の効果を得ることができる。  また、この発明は、係合突部と係合穴による係合固定を採用して、ねじ止め箇所を削減したので、作業費用や部品コストの低減を図ることができる。
【００４３】  図１０（ｂ）では、Ｄ１部分で固定用部材４が仮保持部材６に圧接し、Ｄ２部分で枠状収納部材２と固定用部材４が圧接している場合を示したが、部材間に隙間を設けた構成であってもよい。この場合、上記隙間分の距離を仮保持部材６が動いても、仮保持部材６の付勢部材６ｄが表示モジュール３を付勢することができる構造であればよい。
【００４４】  以上のように、この実施の形態１によれば、表示モジュール３と、少なくとも一面が開口し、開口の側壁で囲まれた空間に表示モジュール３を収納する枠状収納部材２と、表示モジュール３を覆うように枠状収納部材２に組み付けられる仮保持部材６と、仮保持部材６を覆うように枠状収納部材２に組み付けられる固定用部材４とを備え、仮保持部材６が枠状収納部材２の対向する側壁部２ａ−１，２ａ−２のうち、側壁部２ａ−２に係合位置決めされ、側壁部２ａ−１に係合固定されて枠状収納部材２に組み付けられ、固定用部材４が側壁部２ａ−１に係合位置決めされ、側壁部２ａ−２に係合固定されて枠状収納部材２に組み付けられる。  このように、固定用部材４および仮保持部材６がともに係合突部を係合穴部に嵌合するような簡単な操作で係合位置決めおよび係合固定が可能であるため、電子機器１を容易に組み立ておよび分解することが可能である。  また、仮保持部材６と固定用部材４により表示モジュール３が二重に保持されるため、表示モジュール３を強固に保持することができる。  特に、固定用部材４と仮保持部材６を枠状収納部材２からそれぞれ取り外すためには、側壁部２ａ−１，２ａ−２側で交互に取り外し作業を行う必要があり、自然に加わる外力（振動など）で外れにくい構造となっている。
【００４５】  また、この実施の形態１によれば、仮保持部材６が、表示モジュール３を付勢する付勢部材６ｄを備える。このように構成することで、枠状収納部材２内に表示モジュール３をガタなく収納することが可能である。
【００４６】  さらに、この実施の形態１によれば、固定用部材４が、仮保持部材６が枠状収納部材２に係合固定された側の仮保持部材６および枠状収納部材２の一部に圧接する。このように構成することで、仮保持部材６と枠状収納部材２の係合固定部に外力が加わっても、固定用部材４の圧接により係合固定がアシストされるため、外力による外れを防止することができる。また、固定用部材４が圧接することから部材間の隙間で部材同士が衝突して発生する異音を防止することができる。
【００４７】実施の形態２．  図１１は、この発明の実施の形態２に係る電子機器を示す斜視図である。実施の形態２に係る電子機器１Ｂは、図１１に示すように、実施の形態１と異なる係合固定部を有した固定用部材４Ｂを備えて構成される。固定用部材４Ｂには、図１１に示すように、天面部の端辺に係合固定部４ｄが形成されている。また、枠状収納部材２の側壁部２ａ−２には係合固定用の係合穴２ｆが形成されている。
【００４８】  図１２は、実施の形態２における固定用部材の組み付け態様を示す図である。固定用部材４Ｂの一方の端辺には、図１２（ａ）に示すように、位置決め用片部４ｂが形成されている。この位置決め用片部４ｂは、実施の形態１と同様に、天面部の上記端辺から下方に延出された片部の先端部を内側に鍵状に折り曲げた構造を有する。また、枠状収納部材２の側壁部２ａ−１には、位置決め用の係合穴２ｄが形成されている。
【００４９】  また、固定用部材４Ｂにおいて、位置決め用片部４ｂを形成した端辺に対向する端辺には、図１２（ｂ）に示すように係合固定部４ｄが形成されている。係合固定部４ｄは、図１２（ｂ）に示すように、天面部の上記端辺から下方に延出され、外側に折り曲げられた先端部に係合突部４ｄ−１が形成されている。  さらに、枠状収納部材２の側壁部２ａ−２には、固定用部材４Ｂを係合固定するための係合穴２ｆが形成されている。
【００５０】  固定用部材４Ｂを枠状収納部材２に組み付ける場合、係合固定部４ｄが枠状収納部材２内になるように固定用部材４Ｂを配置してから、固定用部材４Ｂを、側壁部２ａ−１から側壁部２ａ−２に向かう方向へスライドさせる。この後、枠状収納部材２の外側から位置決め用片部４ｂを係合穴２ｄに挿入することにより、固定用部材４Ｂは側壁部２ａ−１に係合位置決めされる。一方、係合固定部４ｄの係合突部４ｄ−１は、図１３に示すように、側壁部２ａ−２の係合穴２ｆに嵌合して開口縁部に引っ掛かる。これにより、固定用部材４Ｂが側壁部２ａ−２に係合固定される。
【００５１】  実施の形態１では、固定用部材４を側壁部２ａ−１に係合位置決めした後に、この係合位置決め部を支点として、固定用部材４の係合固定部４ｃ側を側壁部２ａ−２に向けて倒して係合固定部４ｃの係合穴４ｃ−１に係合突部２ｅを嵌合係合していた。このため、係合固定する前に係合位置決め部が外れてしまう可能性があった。  これに対して、この実施の形態２では、固定用部材４Ｂを枠状収納部材２の一方向から組み付けるだけでよいので、実施の形態１と比べて組み付けの作業性を格段に向上させることが可能である。
【００５２】  なお、固定用部材４Ｂは、図１２および図１３に示すように、電子基板７に実装されたコネクタ５ａが側壁２ａ（例えば、側壁部２ａ−２）から外部に露出する構造である場合に有効である。
【００５３】  以上のように、この実施の形態２によれば、固定用部材４Ｂが、枠状収納部材２の一方向（側壁部２ａ−２に向かう方向）から組み付けることにより、側壁部２ａ−１に係合位置決めされ、側壁部２ａ−２に係合固定される。このように構成することで、固定用部材４Ｂを枠状収納部材２の一方向から組み付けるだけでよいので、実施の形態１よりも容易に組み付けが可能である。これにより、組み付けの作業性を向上させることができる。
【００５４】  なお、実施の形態１，２は、特に樹脂材料で各部材を形成した場合を示したが、各部材の機能を満足できれば、樹脂材料以外を使用してもかまわない。
【００５５】実施の形態３．  図１４は、この発明の実施の形態３に係る電子機器を示す図であって、図１４（ａ）は正面側斜視図であり、図１４（ｂ）は背面側斜視図である。実施の形態３に係る電子機器１Ｃは、各部材２，４Ｃ，６を板金で形成したものである。  また、図１４（ａ）に示すように、電子機器１Ｃは、枠状収納部材２の表面側の開口部から表示モジュール３の表示面が外部に露出している。固定用部材４Ｃは、図１４（ｂ）に示すように、枠状収納部材２の背面側および側壁２ａの一部を覆う部材である。また、電子機器１Ｃの内部回路は、固定用部材４Ｃの背面側から露出するコネクタ５ｂ，５ｃを介して外部回路と接続される。
【００５６】  図１５は、実施の形態３に係る電子機器の分解斜視図である。図１５において、仮保持部材６は、実施の形態１と同様に、表示モジュール３を覆うように枠状収納部材２に組み付けられる第１の部材である。また、電子基板７は、コネクタ５ｂ，５ｃを搭載するプリント基板である。また、固定用部材４Ｃは、仮保持部材６を覆うように枠状収納部材２に組み付けられる第２の部材である。
【００５７】  図１６は、実施の形態３における仮保持部材の組み付け手順を示す図であり、図１６（ａ）から図１６（ｃ）の順で組み付ける。また、図１６（ｄ）は、仮保持部材６を組み付けた後の構造体を側壁部２ａ−１側から見た斜視図である。図１６（ａ）に示すように、枠状収納部材２に表示モジュール３を収納する。仮保持部材６には、実施の形態１と同様に、本体部分である板状部６ａの一方の端辺に係合固定部６ｂが形成され、これに対向する端辺に位置決め用突部６ｃが形成されている。また、枠状収納部材２の側壁部２ａ−２には、位置決め用の係合穴２ｃが形成されている。
【００５８】  仮保持部材６を枠状収納部材２に組み付ける場合、図１６（ｂ）に示すように、枠状収納部材２の側壁部２ａ−２に位置決め用突部６ｃを向けて仮保持部材６を挿入する（ａ方向に挿入）。  次に、実施の形態１と同様に、仮保持部材６が枠状収納部材２に対して傾斜した状態で、枠状収納部材２の内側から位置決め用突部６ｃを係合穴２ｃに係合させる。  すなわち、位置決め用突部６ｃの先端部を、枠状収納部材２の内側から挿入して係合穴２ｃの内壁に当接させる。これにより、図１７（ａ）に示すように、仮保持部材６は枠状収納部材２に対して係合位置決めされる。
【００５９】  また、仮保持部材６の係合固定部６ｂは、図１８（ａ）に示すように、片部６ｂ−１および片部６ｂ−１の端部に形成された係合穴６ｂ−２から構成される。  なお、片部６ｂ−１は、先端部と基部との高さ間隔が側壁部２ａ−１の厚さ程度となるように先端部を切り起こした片部である。  さらに、仮保持部材６の板状部６ａにはその一部を下方に折り曲げてなる付勢部材６ｄが形成されている。枠状収納部材２の側壁部２ａ−１の外周部には、仮保持部材６を係合固定するためのダボである係合突部２ｂが形成されている。
【００６０】  この後、位置決め用突部６ｃと係合穴２ｃの係合部を支点として、仮保持部材６の係合固定部６ｂ側を枠状収納部材２の側壁部２ａ−１に向けて倒していくと、図１７（ｂ）に示すように、位置決め用突部６ｃが係合穴２ｃに徐々に挿入されていく。  このとき、片部６ｂ−１の湾曲部分に側壁部２ａ−１が徐々に挿入されていき、最終的に係合穴６ｂ−２に係合突部２ｂが嵌合係合する。これにより、図１８（ｂ）および図１８（ｃ）に示すように、仮保持部材６が側壁部２ａ−１に係合固定される。
【００６１】  なお、図１８（ｄ）に示すように、仮保持部材６の係合固定部６ｂを設けた側壁部６ｆには、固定用部材４Ｃが当接する突部６ｆ−１が形成されている。  また、仮保持部材６には、側壁部６ｆから外側に切り曲げられた沈み防止片部６ｅが形成される。沈み防止片部６ｅは、図１８（ｄ）に示すように、仮保持部材６が組み付けられたときに側壁部２ａ−１に当接する。これにより、固定用部材４Ｃに圧接されても、仮保持部材６が規定位置よりも沈まないように規制することができる。
【００６２】  仮保持部材６の付勢部材６ｄは、図１９（ａ）に示すように、板状部６ａの一部を下方に折り曲げた爪状の部材であり、図１９（ｂ）に示すようにその先端部は湾曲している。仮保持部材６を枠状収納部材２に組み付けた状態で、付勢部材６ｄは、この湾曲の変曲点に相当する部分で表示モジュール３の背面に当接して表示モジュール３を表面側に付勢する。これにより、表示モジュール３の周縁部が設置代２ａ−３に押し付けられ、表示モジュール３を枠状収納部材２内にガタなく収納することができる。
【００６３】  図２０は、実施の形態３における仮保持部材に基板を載置した状態を示す斜視図である。電子基板７は、図２０に示すように、枠状収納部材２に組み付けた仮保持部材６の上面に載置される。例えば、電子基板７は、仮保持部材６の板状部６ａにねじ止めされる。  なお、電子基板７の固定は、ねじ止めに限らず、これ以外の様々な締結方法を適用してもよい。
【００６４】  図２１は、実施の形態３における固定用部材を示す図であり、枠状収納部材２に仮保持部材６を組み付けた構造体および固定用部材４Ｃの斜視図である。また、図２２は、実施の形態３における枠状収納部材の係合位置決め部を示す図であり、固定用部材４Ｃを係合固定する係合固定部を形成した側壁部２ａ−１を示している。さらに、図２３は、実施の形態３における固定用部材の係合位置決め部を示す断面拡大図である。
【００６５】  固定用部材４Ｃには、図２１に示すように、天面部の一方の端辺に位置決め用片部４ｂが形成されている。この位置決め用片部４ｂは、図２３に示すように、天面部の上記端辺に設けた片部を内側に折り曲げ、さらに先端部を下方に折り曲げた構造を有する。また、枠状収納部材２の側壁部２ａ−１には、図２２に示すように、位置決め用の係合穴２ｇが形成されている。
【００６６】  図２４は、実施の形態３における固定用部材を枠状収納部材に係合位置決めした状態の断面側方図である。また、図２５は、図２４の領域Ｆの断面拡大図である。  固定用部材４Ｃを枠状収納部材２に組み付ける場合、まず、固定用部材４Ｃの位置決め用片部４ｂを側壁部２ａ−１の係合穴２ｇに挿入して、固定用部材４Ｃを側壁部２ａ−１に係合位置決めする。このとき、図２５（ａ）に示すように、位置決め用片部４ｂの折り曲げのコーナー部分４ｂ−１を係合穴２ｇの内壁部２ｇ−１に当接させる。
【００６７】  図２６は、実施の形態３における固定用部材の組み付け手順を示す図であり、図２６（ａ）から図２６（ｃ）の順で組み付ける。なお、図２６では、仮保持部材６が枠状収納部材２に組み付けられているものとする（図２０の構造体）。まず、図２６（ａ）に示すように、固定用部材４Ｃを側壁部２ａ−１に位置決めする。  この状態で、図２６（ｂ）に示すように、固定用部材４Ｃを、位置決め用片部４ｂと係合穴２ｇとの当接部を支点としてｂ方向に回転させる。この後、係合固定部を側壁部２ａ−２に係合固定することにより、図２６（ｃ）に示すように、固定用部材４Ｃは枠状収納部材２に組み付けられる。  なお、位置決め用片部４ｂの折り曲げのコーナー部分４ｂ−１は、係合穴２ｇの厚み分の内壁部２ｇ−１に当接しており、固定用部材４Ｃは、この位置決め部を支点として滑らかに回転することができる。これにより、実施の形態１と比べて組み付けの作業性を格段に向上させることが可能である。
【００６８】  図２７は、実施の形態３に係る電子機器を示す斜視図である。また、図２８は、図２７の領域Ｉの断面拡大図である。係合固定部４ｄは、図２７、図２８に示すように、固定用部材４Ｃの天面部の端部を下方に切り曲げた片部であり、その中央付近にダボである係合突部４ｄ−１が形成されている。また、枠状収納部材２の側壁部２ａ−２の外周部には、固定用部材４Ｃを係合固定するための係合穴２ｆが形成されている。固定用部材４Ｃを、側壁部２ａ−１に係合位置決めした部分を支点として枠状収納部材２に向けて回転させると、係合固定部４ｄの係合突部４ｄ−１が側壁部２ａ−２の係合穴２ｆに嵌合する。これにより、固定用部材４Ｃは側壁部２ａ−２に係合固定される。
【００６９】  図２９は、実施の形態３に係る電子機器の断面側方図である。また、図３０は、図２９の領域Ｇの断面拡大図である。枠状収納部材２に組み付けることで、固定用部材４Ｃは、図３０（ａ）に示すように、枠状収納部材２の側壁部２ａ−１で係合位置決めされ、側壁部２ａ−１に対向する側壁部２ａ−２で係合固定される。  図３０（ｂ）に示すように、Ｈ１部分では、固定用部材４Ｃの天面部が、突部６ｆ−１を介して仮保持部材６を矢印方向に押して圧接した状態となっている。また、Ｈ２部分においては、枠状収納部材２の係合穴２ｇが、固定用部材４Ｃの位置決め用片部４ｂを矢印方向に押して圧接している。すなわち、固定用部材４Ｃが圧接して仮保持部材６は直接的に組み付け方向に押さえ付けられており、固定用部材４Ｃが枠状収納部材２に圧接して組み付け方向に押さえ付けられている。  なお、固定用部材４Ｃが仮保持部材６に圧接しても、図１８（ｄ）で示した沈み防止片部６ｅが側壁部２ａ−１に当接しているため、仮保持部材６は、規定位置以上に矢印方向に沈むことはない。
【００７０】  このように組み付けられるので、仮保持部材６と枠状収納部材２の係合固定部に外力が加わっても固定用部材４Ｃの圧接により係合固定がアシストされ、外力による外れを防止することができる。また、部材４Ｃ，６が互いに接触した状態で固定されるため、部材同士が衝突して異音が発生することを防止できる。
【００７１】  以上のように、この実施の形態３によれば、固定用部材４Ｃを、側壁部２ａ−１に係合位置決めした部分を支点として、係合固定する側を枠状収納部材２に向けて回転させて組み付ける。このように構成することにより、固定用部材４Ｃを回転させて枠状収納部材２に組み付けるだけでよいので、実施の形態１よりも容易に組み付けが可能である。これにより、組み付けの作業性を向上させることができる。
【００７２】  なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００７３】  この発明に係る電子機器は、組み立ておよび分解が容易でかつ収納対象物を強固に保持することができるので、例えば、車両の走行中に発生する振動に対する耐性が要求される車載用の電子機器に好適である。
【符号の説明】
【００７４】  １，１Ａ〜１Ｃ  電子機器、２  枠状収納部材、２ａ  側壁、２ａ−１，２ａ−２，６ｆ  側壁部、２ａ−３  設置代、２ｂ，２ｅ，４ｄ−１，６ｃ  係合突部、２ｃ，２ｄ，２ｆ，２ｇ，４ｃ−１，６ｂ−２  係合穴、２ｇ−１  内壁部、３  表示モジュール、４，４Ａ〜４Ｃ  固定用部材、４ａ  開口部、４ｂ  位置決め用片部、４ｂ−１  コーナー部分、５，５ａ〜５ｃ  コネクタ、６  仮保持部材、６ａ  板状部、４ｃ，４ｄ，６ｂ  係合固定部、６ｂ−１  片部、６ｄ  付勢部材、６ｅ  沈み防止片部、６ｆ−１  突部、７  電子基板。
【図１】
2015033472.tif 000003
【図２】
2015033472.tif 000004
【図３】
2015033472.tif 000005
【図４】
2015033472.tif 000006
【図５】
2015033472.tif 000007
【図６】
2015033472.tif 000008
【図７】
2015033472.tif 000009
【図８】
2015033472.tif 000010
【図９】
2015033472.tif 000011
【図１０】
2015033472.tif 000012
【図１１】
2015033472.tif 000013
【図１２】
2015033472.tif 000014
【図１３】
2015033472.tif 000015
【図１４】
2015033472.tif 000016
【図１５】
2015033472.tif 000017
【図１６】
2015033472.tif 000018
【図１７】
2015033472.tif 000019
【図１８】
2015033472.tif 000020
【図１９】
2015033472.tif 000021
【図２０】
2015033472.tif 000022
【図２１】
2015033472.tif 000023
【図２２】
2015033472.tif 000024
【図２３】
2015033472.tif 000025
【図２４】
2015033472.tif 000026
【図２５】
2015033472.tif 000027
【図２６】
2015033472.tif 000028
【図２７】
2015033472.tif 000029
【図２８】
2015033472.tif 000030
【図２９】
2015033472.tif 000031
【図３０】
2015033472.tif 000032
【手続補正書】
【提出日】平成27年9月1日(2015.9.1)
【手続補正１】
【補正対象書類名】明細書
【補正対象項目名】０００８
【補正方法】変更
【補正の内容】
【０００８】
この発明に係る電子機器は、収納対象物と、少なくとも一面が開口し、開口の側壁で囲まれた空間に収納対象物を収納する収納部と、収納対象物を覆うように収納部に組み付けられる第１の部材と、第１の部材を覆うように収納部に組み付けられる第２の部材とを備え、第１の部材は、収納部の対向する第１および第２の側壁部のうち、第２の側壁部に係合位置決めされ、第１の側壁部に係合固定されて収納部に組み付けられ、第２の部材は、第１の側壁部に係合位置決めされ、第１の部材の係合固定が外れない形で第２の側壁部に係合固定されて収納部に組み付けられることを特徴とする。
【手続補正２】
【補正対象書類名】特許請求の範囲
【補正対象項目名】全文
【補正方法】変更
【補正の内容】
【特許請求の範囲】
【請求項１】
収納対象物と、
少なくとも一面が開口し、前記開口の側壁で囲まれた空間に前記収納対象物を収納する収納部と、
前記収納対象物を覆うように前記収納部に組み付けられる第１の部材と、
前記第１の部材を覆うように前記収納部に組み付けられる第２の部材とを備え、
前記第１の部材は、前記収納部の対向する第１および第２の側壁部のうち、前記第２の側壁部に係合位置決めされ、前記第１の側壁部に係合固定されて前記収納部に組み付けられ、
前記第２の部材は、前記第１の側壁部に係合位置決めされ、前記第１の部材の係合固定が外れない形で前記第２の側壁部に係合固定されて前記収納部に組み付けられることを特徴とする電子機器。
【請求項２】
前記第１の部材は、前記収納対象物を付勢する付勢部材を備えることを特徴とする請求項１記載の電子機器。
【請求項３】
前記第２の部材は、前記第１の部材が前記収納部に係合固定された側の前記第１の部材および前記収納部の一部に圧接することを特徴とする請求項１記載の電子機器。
【請求項４】
前記第２の部材は、前記収納部の一方向から組み付けることにより、前記第１の側壁部に係合位置決めされ、前記第２の側壁部に係合固定されることを特徴とする請求項１記載の電子機器。
【請求項５】
前記第２の部材は、前記第１の側壁部に係合位置決めした部分を支点として、係合固定する側を前記収納部に向けて回転させて組み付けることを特徴とする請求項１記載の電子機器。
【手続補正書】
【提出日】平成28年9月20日(2016.9.20)
【手続補正１】
【補正対象書類名】明細書
【補正対象項目名】０００８
【補正方法】変更
【補正の内容】
【０００８】
この発明に係る電子機器は、収納対象物と、少なくとも一面が開口し、開口の側壁で囲まれた空間に収納対象物を収納する収納部と、収納対象物を覆うように収納部に組み付けられる第１の部材と、第１の部材を覆うように収納部に組み付けられる第２の部材とを備え、第１の部材は、収納部の対向する第１および第２の側壁部のうち、第２の側壁部に係合位置決めされ、第１の側壁部に係合固定されて収納部に組み付けられ、第２の部材は、第１の側壁部に係合位置決めされ、第２の側壁部に係合固定されて収納部に組み付けられることを特徴とする。
この発明に係る電子機器は、収納対象物と、少なくとも一面が開口し、開口の側壁で囲まれた空間に収納対象物を収納する収納部と、収納対象物を覆うように収納部に組み付けられる第１の部材と、第１の部材を覆うように収納部に組み付けられる第２の部材とを備え、第１の部材は、収納部の対向する第１および第２の側壁部のうち、第２の側壁部に係合位置決めされ、第１の側壁部に係合固定されて収納部に組み付けられ、第２の部材は、第１の側壁部から第２の側壁部に向かう方向へ組み付けることにより、第１の側壁部に係合位置決めされ、第１の部材の係合固定が外れない形で第２の側壁部に係合固定されて収納部に組み付けられることを特徴とする
【手続補正２】
【補正対象書類名】特許請求の範囲
【補正対象項目名】全文
【補正方法】変更
【補正の内容】
【特許請求の範囲】
【請求項１】
収納対象物と、
少なくとも一面が開口し、前記開口の側壁で囲まれた空間に前記収納対象物を収納する収納部と、
前記収納対象物を覆うように前記収納部に組み付けられる第１の部材と、
前記第１の部材を覆うように前記収納部に組み付けられる第２の部材とを備え、
前記第１の部材は、前記収納部の対向する第１および第２の側壁部のうち、前記第２の側壁部に係合位置決めされ、前記第１の側壁部に係合固定されて前記収納部に組み付けられ、
前記第２の部材は、前記第１の側壁部に係合位置決めされ、前記第１の部材の係合固定が外れない形で前記第２の側壁部に係合固定されて前記収納部に組み付けられることを特徴とする電子機器。
【請求項２】
収納対象物と、
少なくとも一面が開口し、前記開口の側壁で囲まれた空間に前記収納対象物を収納する収納部と、
前記収納対象物を覆うように前記収納部に組み付けられる第１の部材と、
前記第１の部材を覆うように前記収納部に組み付けられる第２の部材とを備え、
前記第１の部材は、前記収納部の対向する第１および第２の側壁部のうち、前記第２の側壁部に係合位置決めされ、前記第１の側壁部に係合固定されて前記収納部に組み付けられ、
前記第２の部材は、前記第１の側壁部から前記第２の側壁部に向かう方向へ組み付けることにより、前記第１の側壁部に係合位置決めされ、前記第１の部材の係合固定が外れない形で前記第２の側壁部に係合固定されて前記収納部に組み付けられることを特徴とする電子機器。
【請求項３】
前記第１の部材は、前記収納対象物を付勢する付勢部材を備えることを特徴とする請求項１または請求項２記載の電子機器。
【請求項４】
前記第２の部材は、前記第１の部材が前記収納部に係合固定された側の前記第１の部材および前記収納部の一部に圧接することを特徴とする請求項１または請求項２記載の電子機器。
【請求項５】
前記第２の部材は、前記第１の側壁部に係合位置決めした部分を支点として、係合固定する側を前記収納部に向けて回転させて組み付けることを特徴とする請求項１記載の電子機器。
【国際調査報告】
2015033472.tif 000033
2015033472.tif 000034
2015033472.tif 000035